(57)【特許請求の範囲】
【請求項１】
内部に前面を開口した調理室を有する調理器本体と、前記調理室の前面開口部を開閉する縦開き形の扉と、この扉の回動基端側の両側端部の下端部において該扉を回動自在に軸支するヒンジ機構部と、前記扉の下端部のうちの一側端側に連結され該扉を閉鎖方向に付勢支持するアーム機構部とを備えたものにおいて、前記扉の下端部のうちの他側端側における前記ヒンジ機構部を、該扉側に設けたヒンジ部材を前記本体側から前方に突出して設けた本体側ヒンジ部材に回動自在に軸支すると共に、これらヒンジ部材は扉の所定開放位置の略水平状態で互いに当接してその回動を停止するストッパー手段を構成し、且つこのストッパー手段は前記本体側ヒンジ部材の突出方向に対向して扉側ヒンジ部材が当接する構成としたことを特徴とする加熱調理器。
【請求項２】
本体側ヒンジ部材にはその突出端部に軸孔を有し、この軸孔に扉側ヒンジ部材に設けた軸を挿通して扉を回動自在に軸支すると共に、この軸支近傍にストッパー手段を配した構成を特徴とする請求項１記載の加熱調理器。
【請求項３】
ストッパー手段は、本体側ヒンジ部材の突出端部を垂直平板状となし、その先端面に当接する扉側ヒンジ部材の当接面を水平方向に長くした構成であることを特徴とする請求項１または２記載の加熱調理器。
【請求項４】
ストッパー手段を構成する本体側ヒンジ部材と扉側ヒンジ部材との当接面は、扉内部に隠蔽された配置構成であることを特徴とする請求項１ないし３のいずれかに記載の加熱調理器。
【発明の詳細な説明】
【０００１】
【発明の属する技術分野】
本発明は、調理室の前面開口部を開閉する扉を備えた加熱調理器に関する。
【０００２】
【従来の技術】
従来、調理室内に収容した被調理物に対しマグネトロンによるマイクロ波の照射、或いは電熱ヒータにより加熱して調理する加熱調理器において、調理室の前面開口部にはこれを開閉する扉が回動自在に設けられている。
例えば、図５ないし図７に示した一例につき説明すると、図５は加熱調理器１の開扉状態における全体斜視図で、斯かる加熱調理器１は、内部に調理室３及びマグネトロン４等の電装品を備えた機械室５を有する調理器本体２と、前記調理室３の前面開口部を開閉すべく設けられた扉６とを具備してなり、扉６は、調理室３前方の下端部の左右二箇所に突設された本体側ヒンジ７，８に、扉６側の後述するヒンジ軸１３，１４を介して上下方向に回動可能に設けられ、所謂縦開き形の扉６を構成している。
そして、斯かる扉６の右側端部において、一端が扉６に連結され他端が本体２内方にて引張りコイルバネ９に連結されたアーム１０を介して、該扉６を閉鎖方向に付勢支持すると共に、このアーム１０はその円弧状下面がローラ１１により支持されて、扉６の開閉動作に連動してアーム１０がローラ１１に案内された軌道で移動する構成としたアーム機構部１２を設けている。
【０００３】
しかるに、図６及び図７は、開扉状態及び閉扉状態における概略構成を示す左側面図にあって、特には上記したうちの左側の本体側ヒンジ７と扉６との関連構成を示したもので、図６では扉６がヒンジ軸１３を中心にして回動し略水平状態（全開位置）に至ると、該扉６の回動基端部たる下端部が本体側ヒンジ７の下端面に当接して、それ以上の回動を阻止する構成の所謂ストッパー手段１５を設けている。
【０００４】
ところで、扉６には上記したアーム１０及び引張りコイルバネ９等からなるアーム機構部１２を介して常時閉鎖方向への付勢力が作用しているものの、該扉６の自由端側のＡ点に作用する力Ｐ1 のモーメント（Ｐ1 ×Ｌ1 ）がこれを遥かに上回り容易に開放操作できると共に、例えば扉６の開放角度が約４０度を超えると扉６自身による下方向への荷重が急増し、図６の全開位置に至っては扉６の自重によりアーム機構部１２に抗して開放状態に保持される。
一方、扉６を閉鎖する場合は、逆に扉６が閉鎖方向への回動に伴い該扉６の自重による下方向へのモーメント荷重は大きく軽減され、従って、同時に引張りコイルバネ９が弛み引張り力が徐々に減じても、この引張り力にて十分に扉６を閉鎖方向に付勢支持できるようにしてあり、図７に示す閉扉状態（全閉位置）を確実に保持する。
【０００５】
【発明が解決しようとする課題】
上記のように縦開き形の扉６を備え、扉６の右側端部には、アーム１０及び引張りコイルバネ９等からなるアーム機構部１２が連結されていて常に閉扉方向に付勢支持されており、また扉６の回動基端部たる下端部の左右二箇所には本体側ヒンジ７，８に軸支されたヒンジ軸１３，１４を介して回動自在に設けられている。そのうち、上記したように左側端部のヒンジ７には扉６を全開位置で停止させるべく該扉６の下端部と当接衝止する構成のストッパー手段１５を設けているが、右側のヒンジ８との間にはこの種ストッパー手段を設けていない。これは、扉６の右側端部にはアーム機構部１２が連結されて該扉６を閉鎖方向に付勢支持しており、それにヒンジ８による回動自在な軸支構成とが加わり、該扉６の支持構造は堅固にできるからである。
【０００６】
一方、扉６の左側端部にはアーム１０及び引っ張りコイルバネ９等の支持構造はなく下端部におけるヒンジ７とヒンジ軸１３との軸支構造のみのため、扉６は撓み易く強度的にも弱いことは否めず、従って、扉６に全開状態から更に開放方向への外力が加わった場合、この弱い左側に応力が集中し易いことから、扉６が必要以上に回動するのを阻止すべく強固なストッパー手段１５を設け、該扉６が変形したり軸支部分が破損したりしないようにする必要がある。
【０００７】
ところが、図６に示すように、扉６の自由端側であるＡ点に作用する力Ｐ1 によるモーメントは、ヒンジ軸１３までの距離をＬ1 として、Ｐ1 ×Ｌ1 であるのに対し、その反対側のストッパー手段１５における当接点Ｂには、Ｐ2 ×Ｌ2 の応力が加わり、モーメントの偶力によりＰ1 ×Ｌ1 ＝Ｐ2 ×Ｌ2 であり、当然Ｌ1 ＞Ｌ2 であるからＢ点には大きな力Ｐ2 が作用することになる。
【０００８】
従って、ストッパー手段１５を構成する本体側ヒンジ７並びにこれに当接する扉６の下端部の周辺域Ｃの補強を十分に施す必要があるが、特に扉６側の当接端部は樹脂製の扉サッシ部分であるため補強するにも限度があって、扉６の頻繁な開閉動作に伴う繰り返し荷重を受けて、これらが破損或いは塑性変形して扉６が完全に閉鎖できなくなったり、扉６の開閉動作に関連してオン・オフ動作するスイッチ（図示しない）が不安定動作したり、延いては扉６の密閉度が悪くなり調理室３から電波漏洩を生ずることにもなりかねない。
また、上記構成のストッパー手段１５では、ヒンジ７と扉６下端部との当接部位が外部に露呈しているため、これに手指や小物を挟むおそれがあって安全性が危惧されるばかりか、外観的にも良好とは言えない。
【０００９】
その対策として、Ｂ点に作用する力Ｐ2 を小さくするため、例えば距離Ｌ2 を大きくすることが考えられるが、これではヒンジ７の突出寸法を大きくする必要があり、これに併せて扉６全体の厚さＴが大きくなって、結果的に加熱調理器１の奥行き寸法Ｄが大きくなり、据付け面積も大きくなるなどの不具合を有する。
或いは別の対策として、前記したアーム機構部１２を扉６の両側端部に設けて、該扉６を堅固に支持する構成としても良いが、これでは部品点数，組立工数が多くなりコストアップとなるばかりか、本体２内方にその設置スペースが必要となり、しかも扉６の全開位置ではアーム１０が調理室３の両側部から前方に突出状態となるため調理作業するに邪魔になるなどして好ましくない。
【００１０】
本発明は上述の事情に鑑みてなされたものであり、従ってその目的は、扉の所定開放位置における回動停止を、簡単な構成でありながら堅固で確実に行うことができるストッパー手段を備えた加熱調理器を提供するにある。
【００１１】
【課題を解決するための手段】
上記目的を達成するために本発明の加熱調理器は、内部に前面を開口した調理室を有する調理器本体と、前記調理室の前面開口部を開閉する縦開き形の扉と、この扉の回動基端側の両側端部の下端部において該扉を回動自在に軸支するヒンジ機構部と、前記扉の下端部のうちの一側端側に連結され該扉を閉鎖方向に付勢支持するアーム機構部とを備えたものにおいて、前記扉の下端部のうちの他側端側における前記ヒンジ機構部を、該扉側に設けたヒンジ部材を前記本体側から前方に突出して設けた本体側ヒンジ部材に回動自在に軸支すると共に、これらヒンジ部材は扉の所定開放位置の略水平状態で互いに当接してその回動を停止するストッパー手段を構成し、且つこのストッパー手段は前記本体側ヒンジ部材の突出方向に対向して扉側ヒンジ部材が当接する構成としたことを特徴とする（請求項１の発明）。
斯かる構成によれば、ストッパー手段は、本体側ヒンジ部材の前方への突出方向に対向して、回動する扉側ヒンジ部材が当接する構成としたので、突出した本体側ヒンジ部材は当接方向に対し大きな機械的強度を保有でき、斯かるヒンジ機構部に特別な補強工夫を施すことなく簡単な構成でありながら堅固で、しかも安価に提供できる。特に、縦開き形の扉は上下方向に回動するため、略水平状態の全開後の扉に必要以上に下方向への外力が加担され易いが、このような縦開き形の扉に対して簡単な構成にて、且つ頻度の多い扉開閉動作に対し十分に実使用に耐え得るストッパー手段を提供できる。
【００１３】
そして、請求項１記載のものにおいて、本体側ヒンジ部材にはその突出端部に軸孔を有し、この軸孔に扉側ヒンジ部材に設けた軸を挿通して扉を回動自在に軸支すると共に、この軸支近傍にストッパー手段を配した構成を特徴とする（請求項２の発明）。
斯かる構成によれば、当接方向に対し本体側ヒンジ部材は強度的に優れ、従って、斯かるヒンジ部材の突出端部に軸孔を配して扉側ヒンジ部材の軸を軸支してなる簡易な構成のヒンジ機構部を提供できると共に、この軸支近傍に各ヒンジ部材が当接する構成のストッパー手段を設けることができるので、大形化することなくコンパクトに形成できる。
【００１４】
更に、請求項１または２記載のものにおいて、ストッパー手段は、本体側ヒンジ部材の突出端部を垂直平板状となし、その先端面に当接する扉側ヒンジ部材の当接面を水平方向に長くした構成であることを特徴とする（請求項３の発明）。
斯かる構成によれば、垂直平板状の本体側ヒンジ部材と水平方向に長い当接面を有する扉側ヒンジ部材とが、言わば直交する形態で当接する。従って、軸支された扉が軸方向たる水平方向に若干移動しても、当接不能となることはなく確実にストッパー手段の機能を発揮できて、厳格な組立精度を必要とせず且つ設計的自由度が増すなどの点で有利である。
【００１５】
そして、請求項１ないし３のいずれかに記載のものにおいて、ストッパー手段を構成する本体側ヒンジ部材と扉側ヒンジ部材との当接面は、扉内部に隠蔽された配置構成であることを特徴とする（請求項４の発明）。
斯かる構成によれば、扉の開閉動作に伴ってストッパー手段の当接面に手指とか小物を挟むおそれがなく安全であると共に、外部に突出したり露呈することもないので外観意匠も良好にできる。
【００１６】
【発明の実施の形態】
以下、本発明の加熱調理器の一実施例を示す図１ないし図４を参照して説明する。
まず図２は、加熱調理器２１の開扉状態における全体斜視図で、該調理器２１の外殻を構成する調理器本体２２内には、被調理物を収容し加熱調理するための調理室２３を形成すると共に、その前方たる本体２２の前面板２４には開口部２５を形成し、該開口部２５の前面にはこれを開閉すべく扉２６が設けられている。この扉２６は、本実施例では回動基端部である下端部の左右二箇所において後述するヒンジ機構部３５，３６にて軸支され、上下方向に回動可能な所謂縦開き形の扉２６を構成している。
【００１７】
そして、前記本体２２内の前記調理室２３の右側に隣接してマグネトロン２７，冷却ファン２８や扉２６の開閉動作に応答するスイッチ類（図示しない）を装備した機械室２９を形成していて、この機械室２９内に配設されたアーム機構部３０により、これに連結された前記扉２６は閉鎖方向に付勢支持される。
即ち、このアーム機構部３０は、先端が扉２６の一側端側である右側端部に連結され後端が機械室２９内に張設された引張りコイルバネ３１及び捩じりコイルバネ３２に連結された弧状のアーム３３と、このアーム３３の下面に摺接して転動自在なローラ３４とを具備してなり、またアーム３３には扉２６の所定開放位置たる全開位置でそれ以上の回動を阻止すべく本体２２の前面板２４内面に衝止するストッパー部３３ａを突設しており、以って扉２６は斯かるアーム機構部３０を介して常に閉鎖方向に付勢支持される。従って、扉２６は、その右側端部においてはヒンジ機構部３６による軸支とアーム機構部３０とによる二点で支持され、一方、他側端側である左側端部においては下端部のヒンジ機構部３５の軸支のみにて開閉動作する構成としている。
【００１８】
しかるに、前述のヒンジ機構部３５，３６につき述べるに、まず左側端部のヒンジ機構部３５は、本体２２の内方底部にネジにより固着され先端部を前方に突出した金属板製の本体側ヒンジ部材３７と、扉２６内方に設けられた金属板製の扉側ヒンジ部材３８とからなり、特に図１及び図３にその具体的構成を示す。◎即ち、図１は開扉状態における一部破断して示す要部の拡大斜視図で、図３はヒンジ機構部３５を構成する本体側ヒンジ部材３７と扉側ヒンジ部材３８の二部材を抽出して示した平面図にあって、これらに示すように本体側ヒンジ部材３７の前方へ突出した先端部は、垂直平板状に突出して端部に水平方向に開口する軸孔３９を有し、一方、扉側ヒンジ部材３８は、略Ｌ字状の水平板部３８ａを扉２６の金属製基枠２６ａにスポット溶接（図中、×印で示す）等により接合し、その垂直平板部３８ｂから内方に水平方向に突設した軸４０を有し、この軸４０を軸孔３９に挿通して回動自在に軸支することで扉２６の左側におけるヒンジ機構部３５を構成している。
【００１９】
そして、斯かる構成のヒンジ機構部３５には、扉２６が所定の開放位置である全開位置で停止するようストッパー手段４１を設けていて、これは本体側ヒンジ部材３７の垂直平板状の当接面としての先端面３７ａに、扉２６が所定の全開位置まで回動した時に扉側ヒンジ部材３８の水平板部３８ａの当接面としての水平方向に延びる板厚端面３８ｃが直交状態に当接して、それ以上の回動を阻止することでストッパー手段４１を構成してなり、従って、本体側ヒンジ部材３７の突出方向に対向して回動する扉側ヒンジ部材３８が当接し、該扉２６はその開放位置で回動停止するようにしている。
尚、図１中において本体側ヒンジ部材３７の中間部に上方に突設して曲成した平坦面３７ｂは、該ヒンジ部材３７の本体２２への取着時に前面板２４内面に宛がい位置決め用に形成したものであり、また、扉２６の基枠２６ａの外周囲には樹脂製のサッシ２６ｂが取り付けられていて、該扉２６の外観意匠を美麗に仕上げると共に、上記したストッパー手段４１を扉２６の内部たる基枠２６ａとサッシ２６ｂとの空間内に隠蔽している。そして、扉２６の回動基端部には切欠部２６ｃが形成されており、これは扉２６が回動した際に本体側ヒンジ部材３７の突出端部が衝突しないように所謂逃げ部を構成している。
【００２０】
これに対し、図２に示すアーム機構部３０を有する扉２６の右側端部におけるヒンジ機構部３６は、本体２２の内方たる機械室２９底部に上述の左側端部と同一形状の本体側ヒンジ部材３７が固着され、一方、扉２６側には上記ストッパー手段４１を具備しない扉側ヒンジ部材４２を設けた構成にあって、このヒンジ部材４２は略Ｌ字状をなす水平板部４２ａを基枠２６ａに溶接し、その垂直板部４２ｂからは外方に水平方向に突設した軸４３によって、本体側ヒンジ部材３７に回動自在に軸支してなる構成にある。また、この扉側ヒンジ部材４２の垂直板部４２ｂには、前記したアーム３３の先端部が回動可能に連結され、アーム機構部３０は扉２６と連動する構成にある。
尚、この図２中において、機械室２９の前方には操作パネル４４が設けられ、これには調理メニューの選択や調理開始を操作するための図示しない制御スイッチ等を装備している。
【００２１】
このように扉２６は、回動基端部の左右二箇所においてヒンジ機構部３５及び３６にて回動自在に軸支され、また右側端部においてアーム機構部３０にて連結支持された構成をなすと共に、前記した如く左側端部のヒンジ機構部３５にはストッパー手段４１を有していて、扉２６を全開位置で停止する構成にある。
尚、この扉２６の中央部には調理室２３内部が視認できる透視窓４５を設けており、また上端部には回動操作用の手掛部２６ｄ（図２のみに示す）を形成している。そして透視窓４５は、内面側に設けられたガラス板からなる内バリヤ４５ａと、後述する図４に示す外面側に設けられたガラス板からなる外バリヤ４５ｂと、これらバリヤ４５ａ，４５ｂ間に介在され基枠２６ａと一体的に設けられたパンチングメタル部（図示しない）とから構成されている。
【００２２】
しかして、上記した図４は、扉２６の左側端部に設けられたストッパー手段４１を有するヒンジ機構部３５において、扉２６の開閉動作との関係を段階的に説明するため、一部破断して示す左側面図にあって、図中、扉２６のサッシ部２６ｂの下端部には前記切欠部２６ｃに連続する切欠部２６ｅを形成しており、また本体２２の底下面には４本（１本のみ図示）の支持脚４６を備えている。
【００２３】
上記のように構成された加熱調理器２１において、加熱調理するには、閉鎖状態にある扉２６を開放して図示しない被調理物を調理室２３内に収容した後、再び扉２６を閉じる。そして、操作パネル４４にて所望の調理メニュー等を選択して調理開始操作することにより、マグネトロン２７による加熱調理が自動的に行われる。
このような扉２６の開閉動作に関して、まず扉２６の左側端部のヒンジ機構部３５において、図４（ａ）に示す閉扉状態から扉２６を開放動作する場合につき述べると、上端部の手掛部２６ｄを利用して開放操作し回動して行くに伴い扉２６自身による下方への荷重が大きくなり、同図（ｂ）に示す如き開放角度が約４０度を過ぎる時点から大きなモーメントとして作用し、該扉２６は急速に回動しようとする。
【００２４】
しかしながら、これと連動するアーム機構部３０の引張りコイルバネ３１及び捩じりコイルバネ３２により、逆に閉扉方向への張力が効果的に大きく作用するため、扉２６の急激な回動は緩和されつつ、同図（ｃ）に示す全開位置に至りストッパー手段４１により停止されるまで略等速度でスムースに回動する。
そして、本体側ヒンジ部材３７の突出先端面３７ａに、回動してきた扉側ヒンジ部材３８の水平板部３８ａの板厚端面３８ｃが当接する。この場合、ストッパー手段４１を構成する本体側ヒンジ部材３７の突出先端面３７ａは、垂直平板状であるのに対し、これに当接する扉側ヒンジ部材３８の板厚端面３８ｃは水平方向に延びた水平板部３８ａの端面であるから、これらは言わば直交状態で当接し合うことになる。
【００２５】
このことは、本体２２と、この前面に取着された扉２６との間で若干の組立誤差を生じてもストッパー手段４１が有効に機能する余裕をもたらす。例えば、扉２６はヒンジ機構部３５，３６により回動自在に軸支されており、また右側端部にはアーム機構部３０による偏奇力も作用していることから、該扉２６をスムースに回動させるには水平方向たる軸（４０，４３）方向に設計的な遊びを設けて若干の移動を許容しているが、この水平方向の移動に対して同方向に延びる板厚端面３８ｃが長い当接面を形成することとなり、従って、斯かる板厚端面３８ｃは本体側ヒンジ部材３７の先端面３７ａと確実に当接可能とするストッパー手段４１を構成できる。
【００２６】
しかも、扉側ヒンジ部材３８の板厚端面３８ｃの当接方向は、本体側ヒンジ部材３７の前方への突出方向に対向しているので、該本体側ヒンジ部材３７は当接方向に対する機械的強度が高く、従って、全開状態の扉２６の左側端部に大きな外力が作用しても強度的に十分なストッパー手段４１により受け止められ、ヒンジ機構部３５が変形破損するおそれはない。
特に本実施例のように、扉２６の一側端側たる右側端部の片方のみにアーム機構部３０を連結した構成にあっては、他側端側の左側端部に比して扉２６を堅固に支持できるため、該扉２６が開放方向への外力を受けた場合、アーム機構部３０を有しない左側端部のヒンジ機構部３５側に集中し易くなるが、上記したように本体側ヒンジ部材３７は、当接方向に対する強度が高いため、斯かるヒンジ部材３７を大きく突出したり特別な補強手段を講ずる必要がない。のみならず、強度的に優れた本体側ヒンジ部材３７には、その突出端部に軸孔３９を形成しても強度的に何ら問題なく、従って、相手方の扉側ヒンジ部材３８に軸４０を一体的に設けて、この軸４０を軸孔３９に回動自在に挿通してなるヒンジ機構部３５を最もシンプルで簡易な構成にて安価に提供できる。
【００２７】
更には、ストッパー手段４１を構成する本体側ヒンジ部材３７の当接面たる先端面３７ａは、軸４０の軸支近傍に設けることができ、従って、これに当接する扉側ヒンジ部材３８の当接面たる板厚端面３８ｃの回動軌跡も軸支近傍の小円軌道で済むことから、斯かる構成からなるストッパー手段４１は極めてコンパクトに構成できると共に、図４の（ａ），（ｂ），（ｃ）に夫々示す扉２６の各態様のいずれにおいてもストッパー手段４１の当接部位が扉２６より外方に突出したり露呈することなく設けることができ、以って扉２６の開閉動作に伴いこの当接部間に手指とか小物を挟んだりする危険性及び不具合を解消できる。
【００２８】
一方、扉２６の右側端部におけるヒンジ機構部３６には、ストッパー手段４１は設けていないが前述の如く同端部側にはアーム機構部３０を連結支持しているため、該扉２６の支持構造は堅固なものとなり、しかもアーム３３には、扉２６の開放方向への回動に対して本体２２の前面板２４内面に衝止するストッパー部３３ａを形成しているので、この右側端部に大きな外力が集中作用しても扉２６は必要以上の開放回動は確実に阻止され、従って、斯かるヒンジ機構部３６にストッパー手段４１を設けることなく簡易な軸支構成をもって実用に供し得る。
【００２９】
次に、上記した扉２６の開放状態から閉鎖動作する場合につき述べると、手掛部２６ｄを利用して扉２６の自由端側を持ち上げるように回動操作することにより、上記開放時とは逆に図４に示す（ｃ），（ｂ），（ａ）の順に沿って回動し、調理室２３の前面開口部２５を閉鎖する。特にアーム機構部３０の引張りコイルバネ３１及び捩じりコイルバネ３２により扉２６は閉鎖方向に付勢支持されているので、僅かな操作力で扉２６は容易に回動し、そして前面板２４に当接した閉鎖状態に確実に支持される。
【００３０】
従って、本実施例に示した加熱調理器２１によれば、縦開き形の扉２６を備え、扉２６の右側端部の片方のみに、アーム３３及び引張りコイルバネ３１等からなるアーム機構部３０を設けてなる構成にあっても、扉２６の開閉動作はスムースに行え、且つストッパー手段４１も扉２６の左側端部のヒンジ機構部３５側のみに設けた簡易な構成にて提供でき、設計製造的にもコスト的にも有利な実用的効果を奏するものである。
【００３１】
尚、本発明は上記し且つ図面に示した実施例に限定されるものではなく、例えば、扉側ヒンジ部材３８に軸４０を一体的に設けた構成としたが、逆にこの軸４０を本体側ヒンジ部材３７に設け、扉側ヒンジ部材３８に軸孔３９を設ける逆配置構成とすることも可能である。
その他、アーム機構部３０は、上記実施例とは逆に扉２６の左側端部に連結した構成としても良く、この場合、ストッパー手段４１も反対側の右側端部のヒンジ機構部３８に設ければ良いなど、その具体的構成も含め実施に際して本発明の要旨を逸脱しない範囲内にて適宜変更して実施できるものである。
【００３２】
【発明の効果】
本発明は以上説明した通り、扉を閉鎖方向に付勢支持するアーム機構部を、扉の一側端部に設けた構成にあっても、該扉を所定の開放位置にて回動停止させるストッパー手段を、簡易な構成でありながら強度的に優れ、しかもコンパクトな構成にて提供でき、コスト的にも有利な加熱調理器を提供できる。
【図面の簡単な説明】
【図１】本発明の一実施例を示す一部破断した要部の斜視図
【図２】開扉状態の全体斜視図
【図３】本体側ヒンジ部材と扉側ヒンジ部材を抽出して示す平面図
【図４】扉の回動状態を段階的に示す一部破断した左側面図
【図５】従来例を示す図２相当図
【図６】開扉状態の左側面図
【図７】閉扉状態の図６相当図
【符号の説明】
２１は加熱調理器、２２は本体、２３は調理室、２４は前面板、２５は開口部、２６は扉、２６ａは基枠、２６ｂはサッシ部、２９は機械室、３０はアーム機構部、３５，３６はヒンジ機構部、３７は本体側ヒンジ部材、３７ａは先端面（当接面）、３８，４２は扉側ヒンジ部材、３８ｃは板厚端面（当接面）、３９は軸孔、４０は軸、及び４１はストッパー手段を示す。
【図１】
0003762570.tif 000002
【図２】
0003762570.tif 000003
【図３】
0003762570.tif 000004
【図４】
0003762570.tif 000005
【図５】
0003762570.tif 000006
【図６】
0003762570.tif 000007
【図７】
0003762570.tif 000008